(57)【特許請求の範囲】
【請求項１】
被写体を撮影する撮像手段を利用した複数の撮影機能を備えた端末装置であって、
動作中の動作モード状態を検出する動作モード検出手段と、
前記撮像手段の使用開始を指示する指示手段と、
この指示手段によって前記撮像手段の使用開始が指示された場合に前記動作モード検出手段によって検出された動作モード状態があらかじめ定められた所定の動作モード状態である場合には前記撮像手段を利用した複数の撮影機能の中から予め定められた撮影機能を選択する一方、前記動作モード状態があらかじめ定められた所定の動作モード状態でない場合には過去に前記撮像手段を利用して実行された撮影機能を選択する撮影機能選択手段と、
この撮影機能選択手段によって選択された撮影機能での撮像が可能となる様に前記撮像手段を起動させる起動開始手段と、
を備えたことを特徴とする端末装置。
【請求項２】
前記動作モード検出手段は、前記動作モードのアプリケーションプログラムを記憶するプログラム記憶手段に記憶された複数のアプリケーションプログラムのうちいずれのアプリケーションプログラムが動作中かを検出し、
前記撮影機能選択手段は、前記動作モード検出手段によって検出された動作中のアプリケーションプログラムに対応する予め定められた撮影機能を選択することを特徴とする請求項１に記載の端末装置。
【請求項３】
前記撮像手段を利用した複数の撮影機能は、被写体毎に夫々適した撮影パラメータで撮像する複数の被写体別撮影機能を含み、
前記撮影機能選択手段は、前記動作モード検出手段によって検出された動作モード状態に基づいて前記複数の被写体別撮影機能の中から予め定められた撮影パラメータで撮像する被写体別撮影機能を選択することを特徴とする請求項１に記載の端末装置。
【請求項４】
前記動作モード検出手段は、前記動作モード状態として、画像情報を記憶する画像記憶手段に撮像した画像情報を設定記憶させる画像設定アプリケーションプログラムが動作中であるか否かを検出し、
前記撮影機能選択手段は、前記動作モード検出手段によって画像設定アプリケーションプログラムが動作中であることが検出された場合に前記複数の撮影機能の中から画像を撮像して前記画像記憶手段に記憶させる撮影機能を選択することを特徴とする請求項１に記載の端末装置。
【請求項５】
前記画像記憶手段に記憶される画像情報は顔画像情報であることを特徴とする請求項４に記載の端末蔵置。
【請求項６】
前記動作モード検出手段は、前記動作モード状態として、画像認識した認識情報を記憶する認識情報記憶手段に撮像した画像を画像認識した認識情報を設定記憶させる画像認識アプリケーションプログラムが動作中であるか否かを検出し、
前記撮影機能選択手段は、前記動作モード検出手段によって前記画像認識アプリケーションプログラムが動作中であることが検出された場合に前記複数の撮影機能の中から画像を撮像して認識情報を前記認識情報記憶手段に記憶させる撮影機能を選択することを特徴とする請求項１に記載の端末装置。
【請求項７】
前記認識情報記憶手段に記憶される認識情報は、撮像されたシンボル画像もしくは文字画像を画像認識して得られた認識情報であることを特徴とする請求項６に記載の端末装置。
【請求項８】
前記動作モード検出手段は、前記動作モード状態として、文字情報を記憶する文字情報記憶手段に文字情報を記憶させる文字入力アプリケーションプログラムが動作中であるか否かを検出し、
前記撮影機能選択手段は、前記動作モード検出手段によって前記文字入力アプリケーションプログラムが動作中であることが検出された場合に前記複数の撮影機能の中から文字画像を撮像して得られた文字情報を前記文字情報記憶手段に記憶させる撮影機能を選択することを特徴とする請求項１に記載の端末装置。
【請求項９】
更に、前記動作モード状態と前記撮像手段を利用した撮影機能との対応関係を示す対応条件情報が記憶された対応条件記憶手段を備え、
前記撮影機能選択手段は、前記動作モード検出手段によって検出された動作モードに対応する撮影機能を前記対応条件記憶手段から選択し、
前記起動開始手段は前記選択された撮影機能での撮像が可能となる様に前記撮像手段を起動させることを特徴とする請求項１に記載の端末装置。
【請求項１０】
更に、前記対応条件記憶手段の前記動作モード状態と前記撮影機能との対応関係を示す対応条件情報を変更する変更手段が設けられていることを特徴とする請求項９に記載の端末装置。
【請求項１１】
更に、前記複数の撮影機能のうち所望の撮影機能を選択する選択操作手段と、
この選択操作手段によって選択された所望の撮影機能による撮像が可能となる様に前記撮像手段を起動させる選択撮影機能起動手段とを備え、
前記選択操作手段による選択操作がなされた場合には前記選択撮影機能起動手段による起動がなされることを特徴とする請求項１に記載の端末装置。
【請求項１２】
コンピュータに、
動作中の動作モード状態を検出する動作モード検出機能、
被写体を撮影する撮像手段の使用開始を指示する指示機能、
前記撮像手段の使用開始が指示された場合に検出された動作モード状態があらかじめ定められた所定の動作モード状態である場合には前記撮像手段を利用した複数の撮影機能の中から予め定められた撮影機能を選択する一方、前記動作モード状態があらかじめ定められた所定の動作モード状態でない場合には過去に前記撮像手段を利用して実行された撮影機能を選択する撮影機能選択手段、
前記選択された撮影機能での撮像が可能となる様に前記撮像手段を起動させる起動開始機能、
を実現させるためのプログラム。
【発明の詳細な説明】
【技術分野】
【０００１】
本発明は、複数の撮影機能を備えた端末装置及びプログラムに関する。
【背景技術】
【０００２】
従来、携帯電話機などの端末装置においては、被写体を撮影する撮像（カメラ）手段が搭載されているものが多く、また、その撮像手段の機能としては複数の撮影機能が搭載されている。
【０００３】
すなわち、これら複数の撮影機能としては、たとえば、被写体を静止画として記録する静止画撮影機能、被写体を動画として記録する動画撮影機能、被写体に含まれる文字を認識して抽出する文字読取撮影機能、被写体に含まれるシンボル情報（バーコード、２次元コード、ＱＲコードなど）を認識して数字文字情報を抽出するシンボル情報読取撮影機能、近接した被写体を撮影するマクロ撮影機能、被写体毎（人物、風景、夜景、食べ物などの被写体別）に夫々適した撮影パラメータで撮影する被写体別撮影機能、被写体を拡大したり縮小したりして表示する電子ルーペ撮影機能などがある。
【０００４】
一般に、これら複数の撮影機能の中から何れかの撮影機能を選択する場合には、ユーザ自身が端末装置に備えられた撮影機能の選択キーの選択操作を行うことによって選択がなされる。しかしながら、多数の撮影機能の中から所望する撮影機能を毎回キー操作によって選択するのはユーザにとって極めて煩雑で面倒である。
【０００５】
この煩雑さを解消するために、従来では、現在時刻、屋内／屋外、季節、気温、天気、水中／高所などの現在の環境状況に関する情報を取得し、この取得した情報を元に撮影シーンを推定してその撮影シーンで多用される撮影機能を選択メニューの最初に表示させたり、撮影機能を自動選択させたりすることが考えられている（例えば、特許文献１及び特許文献２）。
【０００６】
【特許文献１】特開２００４−３３６３２６号公報
【特許文献２】特開２００５−１１７４５７号公報
【発明の開示】
【発明が解決しようとする課題】
【０００７】
しかしながら、特許文献１や特許文献２等の様に、現在の環境状況によって撮像手段を利用する撮影機能を特定する方法では、必ずしも所望する撮影機能が選択設定されるとは限らないという欠点があった。
【０００８】
例えば、携帯電話などにおいては通話相手の名前、電話番号、住所等の文字情報或いは相手の顔画像情報などを記憶するアドレス帳を備えることが一般的であるが、名刺画像などを撮影して名前、電話番号、住所等の文字を画像認識し、認識された文字情報をアドレス帳に記憶させようとした場合、現在の時刻や屋内／屋外或いは気温等の環境状況は、アドレス帳への文字情報の記憶状態を表すものではないため、撮像手段の文字読取撮影機能が直ちに動作可能となる様に選択設定することは出来なかった。
【０００９】
また同様に、上記アドレス帳に顔画像情報を設定記憶しようとした場合には、撮像手段を顔画像の撮像に最も適した撮影条件に設定すること、即ち、上記被写体別撮影機能における人物撮像パラメータに設定して直ちに撮像出来る様にすることが望ましいが、上記特許文献１或いは２に記載の技術では、周囲の環境状況と顔画像の記憶設定状態とは何ら関連性がない為、撮像手段を直ちに人物撮像パラメータに設定して撮像出来る様にすることは不可能であった。
【００１０】
このように、上記特許文献１或いは特許文献２に開示されている様な従来技術にあっては、所望する撮影機能が周囲の環境状況にマッチしている場合のみ有効であるが、環境状況にマッチしていない場合にあってはユーザが煩雑なキー操作で所望する撮影機能を選択設定しなければならず極めて不便であるという欠点があった
【００１１】
本発明は、上記の課題を解決するためになされたもので、撮像手段を利用した複数の撮影機能の中から所望の撮影機能を極めて容易に選択できる通信端末及びプログラムを提供するものである。
【課題を解決するための手段】
【００１２】
上記の課題を解決するために、本発明の請求項１に記載の端末装置は、被写体を撮影する撮像手段を利用した複数の撮影機能を備えた端末装置であって、動作中の動作モード状態を検出する動作モード検出手段と、前記撮像手段の使用開始を指示する指示手段と、この指示手段によって前記撮像手段の使用開始が指示された場合に前記動作モード検出手段によって検出された動作モード状態があらかじめ定められた所定の動作モード状態である場合には前記撮像手段を利用した複数の撮影機能の中から予め定められた撮影機能を選択する一方、前記動作モード状態があらかじめ定められた所定の動作モード状態でない場合には過去に前記撮像手段を利用して実行された撮影機能を選択する撮影機能選択手段と、この撮影機能選択手段によって選択された撮影機能での撮像が可能となる様に前記撮像手段を起動させる起動開始手段と、を備えたことを特徴とする。
【００１３】
請求項２に記載の発明は、請求項１記載の端末装置において、前記動作モード検出手段は、動作モードのアプリケーションプログラムを記憶するプログラム記憶手段に記憶された複数のアプリケーションプログラムのうちいずれのアプリケーションプログラムが動作中かを検出し、前記撮影機能選択手段は、前記動作モード検出手段によって検出された動作中のアプリケーションプログラムに対応する予め定められた撮影機能を選択することを特徴とする。
【００１４】
請求項３の発明は、請求項１記載の端末装置において、前記撮像手段を利用した複数の撮影機能は、被写体毎に夫々適した撮影パラメータで撮像する複数の被写体別撮影機能を含み、前記撮影機能選択手段は、前記動作モード検出手段によって検出された動作モード状態に基づいて前記複数の被写体別撮影機能の中から予め定められた撮影パラメータで撮像する被写体別撮影機能を選択することを特徴とする。
【００１５】
請求項４の発明は、請求項１記載の端末装置において、前記動作モード検出手段は、前記動作モード状態として、画像情報を記憶する画像記憶手段に撮像した画像情報を設定記憶させる画像設定アプリケーションプログラムが動作中であるか否かを検出し、前記撮影機能選択手段は、前記動作モード検出手段によって画像設定アプリケーションプログラムが動作中であることが検出された場合に前記複数の撮影機能の中から画像を撮像して前記画像記憶手段に記憶させる撮影機能を選択することを特徴とする。
【００１６】
請求項５の発明は、請求項４記載の端末装置において、前記画像記憶手段に記憶される画像情報は顔画像情報であることを特徴とする。
【００１７】
請求項６の発明は、請求項１記載の端末装置において、前記動作モード検出手段は、前記動作モード状態として、画像認識した認識情報を記憶する認識情報記憶手段に撮像した画像を画像認識した認識情報を設定記憶させる画像認識アプリケーションプログラムが動作中であるか否かを検出し、前記撮影機能選択手段は、前記動作モード検出手段によって前記画像認識アプリケーションプログラムが動作中であることが検出された場合に前記複数の撮影機能の中から画像を撮像して認識情報を前記認識情報記憶手段に記憶させる撮影機能を選択することを特徴とする。
【００１８】
請求項７の発明は、請求項６記載の端末装置において、前記認識情報記憶手段に記憶される認識情報は、撮像されたシンボル画像もしくは文字画像を画像認識して得られた認識情報であることを特徴とする。
【００１９】
請求項８の発明は、請求項１記載の端末装置において、前記動作モード検出手段は、前記動作モード状態として、文字情報を記憶する文字情報記憶手段に文字情報を記憶させる文字入力アプリケーションプログラムが動作中であるか否かを検出し、前記撮影機能選択手段は、前記動作モード検出手段によって前記文字入力アプリケーションプログラムが動作中であることが検出された場合に前記複数の撮影機能の中から文字画像を撮像して得られた文字情報を前記文字情報記憶手段に記憶させる撮影機能を選択することを特徴とする。
【００２０】
請求項９の発明は、請求項１記載の端末装置において、更に、前記動作モード状態と前記撮像手段を利用した撮影機能との対応関係を示す対応条件情報が記憶された対応条件記憶手段を備え、前記撮影機能選択手段は、前記動作モード検出手段によって検出された動作モードに対応する撮影機能を前記対応条件記憶手段から選択し、前記起動開始手段は前記選択された撮影機能での撮像が可能となる様に前記撮像手段を起動させることを特徴とする。
【００２１】
請求項１０の発明は、請求項９記載の端末装置において、更に、前記対応条件記憶手段の前記動作モード状態と前記撮影機能との対応関係を示す対応条件情報を変更する変更手段が設けられていることを特徴とする。
【００２２】
請求項１１の発明は、請求項１記載の端末装置において、更に、前記複数の撮影機能のうち所望の撮影機能を選択する選択操作手段と、この選択操作手段によって選択された所望の撮影機能による撮像が可能となる様に前記撮像手段を起動させる選択撮影機能起動手段とを備え、前記選択操作手段による選択操作がなされた場合には前記選択撮影機能起動手段による起動がなされることを特徴とする。
【００２５】
請求項１２の発明は、コンピュータに、動作中の動作モード状態を検出する動作モード検出機能、被写体を撮影する撮像手段の使用開始を指示する指示機能、前記撮像手段の使用開始が指示された場合に検出された動作モード状態があらかじめ定められた所定の動作モード状態である場合には前記撮像手段を利用した複数の撮影機能の中から予め定められた撮影機能を選択する一方、前記動作モード状態があらかじめ定められた所定の動作モード状態でない場合には過去に前記撮像手段を利用して実行された撮影機能を選択する撮影機能選択手段、前記選択された撮影機能での撮像が可能となる様に前記撮像手段を起動させる起動開始機能、を実現させることを特徴とする。
【発明の効果】
【００２６】
本発明によれば、撮像手段を利用した複数の撮影機能の中から所望の撮影機能を極めて容易に選択することができる。
【発明を実施するための最良の形態】
【００２７】
以下、本発明の実施の形態を、図面を参照して説明する。
【００２８】
図１は、本発明の端末装置の一例として携帯電話装置１を用いた通信ネットワークシステムを示したブロック図である。携帯電話装置１は、最寄りの基地局２或いは基地局３から交換機４を介して携帯無線通信網（公衆移動体通信網）５に接続されており、この携帯無線通信網５に接続された図示しない交換機、基地局を介して相手側の携帯電話装置（図示せず）と通話が可能である。
【００２９】
また、携帯無線通信網５はインターネット６に接続されており、携帯電話装置１は電子メールなどの送受信をインターネット６経由で実行可能となっている。更に、インターネット６には図示しないＷｅｂサイト等が設定された各種サーバが接続されており、携帯電話装置１はそれらＷｅｂサイトの閲覧が可能となっている。
【００３０】
図２は、上記携帯電話装置１の基本的な構成要素を示した電子回路のブロック図である。中央制御部（ＣＰＵ）１０は、ＲＯＭ１１内のプログラム記憶領域（図示せず）に記憶された各種のプログラムに応じてこの携帯電話装置１の全体の動作を制御する。即ち、ＲＯＭ１１のプログラム記憶領域には、後述する図８乃至図１１に示すフローチャートを実行させるためのプログラム、後述する各種動作モードを実行するプログラム、同じく後述する各種撮影機能を実行するプログラムなどが格納されており、中央制御部１０は、これらＲＯＭ１１に記憶された各種のプログラムに応じてこの携帯電話装置１の全体の動作を制御する。
【００３１】
また、ＲＯＭ１１には、図示しない情報記憶領域に電子辞書の機能を実現させるための辞書データや電源投入時に読み出されて後述するＲＡＭ１２に展開記憶される各種情報が記憶されている。
【００３２】
ＲＡＭ１２は、例えば、ワークエリアとして動作する内部メモリで、詳細を後述する撮影機能情報記憶部１３、カメラ利用モード情報記憶部１４、条件設定情報記憶部１５、選択条件情報記憶部１６、動作中モード情報記憶部１７が設けられている。なお、ＲＡＭ１２に記憶されている内容は、必要に応じて記憶部１８に記憶される。
【００３３】
記憶部１８は、例えばフラッシュメモリ等の不揮発性メモリからなり、詳細を後述する画像情報記憶部１９、メール情報記憶部２０、アドレス帳情報記憶部２１、旅日記情報記憶部２２、食事情報記憶部２３、ＵＲＬ情報記憶部２４、電子マネー情報記憶部２５、起動履歴情報記憶部２６が設けられている。
【００３４】
これらの各記憶部１９乃至２６が設けられた記憶部１８は、携帯電話装置１の内部メモリとして設けてもよいが、携帯電話装置１に着脱可能なＩＣカードメモリの内部に設けることも出来る。
【００３５】
無線通信部２７は、電話の通話機能としての動作時にはアンテナ２７Ａから取り込んだ音声の無線信号を受信ベースバンド信号に復調した後に、音声信号処理部２８を介して受話スピーカ２８Ａから音声出力させる。また、送話マイク２８Ｂから入力された音声信号を音声信号処理部２８で処理させた後に無線通信部２７に送り、無線通信部２７では音声信号を送信ベースバンド信号に符号化したのちにアンテナ２７Ａから送信出力させる。
【００３６】
また、電子メール機能、インターネット接続機能等の動作時には、アンテナ２７Ａ及び無線通信部２７を介して電子メールの送受信およびＷｅｂサイトの閲覧が可能であり、電子メールの送受信情報及びＷｅｂサイトの閲覧情報は表示部３０に与えられて表示出力される。
【００３７】
表示部３０は、例えば、ドットマトリクスタイプの液晶表示装置あるいはＥＬ表示装置から構成され、電話装置として必要な情報（相手方の電話番号、電波受信状態、電池残量等の情報）を表示するとともに、上述した電子メールやＷｅｂサイトの表示及びＲＡＭ１２および記憶部１８の各記憶部に記憶された各種情報を表示する。また、後述する撮像部３３によって撮像する場合にはスルー画像の表示部としても用いられる。
【００３８】
更に、表示部３０には、後述する如く各種の釦表示がなされ、これら釦表示に後述するカーソルを合わせて後述する決定キーの操作を行うことによって各種のキー入力（ソフトキー入力）が可能となっている。
【００３９】
操作部３１は、個々のキーについては具体的に図示していないが、電源オン及びオフを切り替える電源キー、電話番号及びＦＡＸ番号等の数値情報や各種文字情報等を入力する数値文字キー、通話開始時および終了時に操作される電話キー、後述する各種動作モード状態を選択するモード選択キー、後述する撮像部３３の撮像（カメラ）装置を使用開始する際に操作されるカメラキー、撮像装置による撮像を行わせるシャッターキー、後述するカーソルを移動させるカーソル移動キー及び上述したソフトキー入力の決定キー等を備えている。
【００４０】
ＲＴＣ（リアルタイムクロック回路）３２は、基準信号を計数して現在の年、日付、曜日、時分等の現在日時情報を得る時計回路部であり、中央制御部１０は、ＲＴＣ３２から現在日時情報を取得する。
【００４１】
撮像部３３は、外部被写体像を撮像するもので、詳細は図示していないがズームレンズやフォーカスレンズなどの各種レンズ類やその移動機構及び絞り機構などの光学系、この光学系を介して外部被写体が写し込まれるＣＣＤなどの撮像素子、露光や色温度及び焦点距離測定等のための各種センサ、撮像素子からの撮像信号を符号化して画像情報に変換する画像処理回路等を備えている。
【００４２】
また、撮像部３３は、中央制御部１０から撮影機能が指示されることによって、その指示された撮像機能での撮像が可能となる様に撮影パラメータや光学系、絞り等が設定され、上述したシャッターキーの操作によって設定された撮影機能での撮像が行われるもので、例えば、撮像機能としては、シャッターキーが操作された際の被写体の静止画像を撮像して画像情報記憶部１９に記憶する静止画撮影機能、シャッターキーが操作されてから次にシャッターキーが再度操作されるまでの被写体の動画像を撮像して画像情報記憶部１９に記憶する動画撮影機能、近接した被写体を撮影して画像情報記憶部１９に記憶するマクロ撮影機能等がある。
【００４３】
また、上記静止画撮影機能、動画撮影機能及びマクロ撮影機能以外にも、光学系が近距離撮像可能となるように設定されると共に撮像された画像情報のうち文字画像を画像認識して文字情報を得る文字読取（撮影）機能、光学系を近距離撮像可能に設定して撮像し表示部３０に表示させると共に拡大したり縮小したりして表示する電子ルーペ（撮影）機能、撮像された画像情報のうちシンボル情報（バーコード、２次元コード、QRコードなど）を画像認識して数字文字情報を抽出するシンボル情報読取（撮影）機能、被写体毎（人物、風景、夜景、食べ物などの被写体別）に予め定められた撮影パラメータで撮影する被写体別撮影機能等がある。
【００４４】
報知部３４は、サウンドスピーカ３４Ａ、ＬＥＤ(発光ダイオード)３４Ｂ、振動モータ３４Ｃなどを備え、電話着信、メール受信時に駆動されて着信報知（電話の着信報知／メールの受信報知）を行うものである。
【００４５】
電源電池部３５は、図示していない充電可能な二次電池と、この二次電池の電池電圧が低下した際に各回路部をバックアップするバックアップ電池とからなり、上述した各回路部に駆動電圧を供給するものである。
【００４６】
図３は、ＲＡＭ１２の撮影機能情報記憶部１３の記憶内容を示している。この撮影機能情報報記憶部１３の記憶内容は、予めＲＯＭ１１に記憶されている内容が電源投入時にＲＡＭ１２の撮影機能情報記憶部１３に転送されて展開記憶されるものであり、撮像部３３によって撮像が実行される撮影機能情報の機能名が撮影機能情報記憶領域１３Ｂに、その撮影機能を識別する機能ＩＤ情報が機能ＩＤ情報記憶領域１３Ａに夫々対応した状態で記憶されるものである。
【００４７】
即ち、機能ＩＤ情報記憶領域１３Ａの各記憶領域１３Ａ１、１３Ａ２、１３Ａ３、・・・には、例えば「Ｆ０１」、「Ｆ０２」、「Ｆ０３」、・・・という機能ＩＤ情報が記憶され、各記憶領域１３Ａ１、１３Ａ２、１３Ａ３、・・・に対応する撮影機能情報記憶領域１３Ｂの各記憶領域１３Ｂ１、１３Ｂ２、１３Ｂ３、・・・には、撮影機能を示す情報名、即ち、静止画像の撮影機能を示す「静止画撮影」、動画像の撮影機能を示す「動画撮影」、文字情報を画像認識して認識した文字情報を得る撮影機能である「文字読取」、・・・といったテキスト（文字）情報が夫々記憶される。
【００４８】
尚、機能ＩＤ情報「Ｆ０４」は、撮像した被写体に含まれるシンボル情報（バーコード、２次元コード、QRコードなど）を画像認識して数字文字情報を抽出するシンボル情報読取機能、機能ＩＤ情報「Ｆ０５」は、撮像した被写体を拡大したり縮小したりして表示する撮影機能である電子ルーペ機能、「Ｆ０６」は近接した被写体を撮影するマクロ撮影機能を示す機能ＩＤ情報である。
【００４９】
また、「Ｆ０７」乃至「Ｆ１１」は被写体毎に夫々適した撮影パラメータで撮影する被写体別撮影機能であって、「Ｆ０７」は、人物の顔画像の静止画を撮像する人物撮影機能、「F０８」は、風景の静止画を撮像する風景撮影機能、「Ｆ０９」は、食べ物の静止画を撮像する食べ物撮影機能、「Ｆ１０」は、スポーツなどの動画を撮像する撮影機能、「Ｆ１１」は風景の動画を撮像する撮影機能の機能ＩＤ情報である。
【００５０】
図４は、ＲＡＭ１２のカメラ利用モード情報記憶部１４の記憶内容を示している。即ち、このカメラ利用モード情報記憶部１４は、携帯電話装置１がとりうる各種動作モードのうち、撮像部３３の撮像装置を使用する可能性がある全ての動作状態モードを夫々示す状態ＩＤ情報記憶領域１４Ａと、記憶されている夫々の動作状態モードのうちその時点で動作中の動作モードを示す現在フラグ情報記憶領域１４Ｂとから構成されている。
【００５１】
尚、図４においては、状態ＩＤ情報記憶領域１４Ａと現在フラグ記憶領域１４Ｂとの間に動作状態名が記載されているが、これは状態ＩＤ情報と現在フラグ情報との内容説明のために便宜上記載したもので、動作状態名の記憶領域が実際に設けられている訳ではない。
【００５２】
然して、状態ＩＤ情報記憶領域１４Ａの各記憶領域１４Ａ１、１４Ａ２、１４Ａ３、・・・には、例えば「Ｓ０１」、「Ｓ０２」、「Ｓ０３」、・・・という状態ＩＤ情報が記憶されており、これに対応する現在フラグ記憶領域１４Ｂの各記憶領域１４Ｂ１、１４Ｂ２、１４Ｂ３、・・・には、その時点で動作中の場合に「１」の情報、動作中でない場合には「０」の情報が記憶される。
【００５３】
即ち、上記状態ＩＤ情報「Ｓ０１」は、電子辞書のアプリケーションを示すもので、「Ｓ０１」に対応する記憶領域１４Ｂ１に「１」が設定されている場合には、その時点で電子辞書のアプリケーションプログラムが起動した状態（電子辞書が使用可能な動作モード状態）にあることを示し、記憶領域１４Ｂ１に「０」が設定されている場合には電子辞書のアプリケーションプログラムがまだ起動していない状態を示す。
【００５４】
同様にして、「Ｓ０２」はＷｅｂサイトの閲覧アプリケーションを示し、対応する記憶領域１４Ｂ２の現在フラグ情報が「１」か「０」かにより、Ｗｅｂサイト閲覧のアプリケーションプログラムが起動しているか否かを示す。また、「Ｓ０３」は旅日記アプリケーションであり、このアプリケーションプログラムが起動しているときには、記憶部１８の旅日記情報記憶部２２に、文字数値キーで入力した文字情報（旅行日時や場所の情報）や撮像部３３で撮像した旅行時の画像情報が記憶でき、旅行時の各種記録を行わせるモードである。
【００５５】
更に、「Ｓ０４」は、食事記録アプリケーションであり、このアプリケーションプログラムが起動しているときには、記憶部１８の食事情報記憶部２３に、文字数値キーで入力した食事内容の文字情報や撮像部３３で撮像した食事の画像情報が記憶でき、毎日の食事内容の記録を行わせるモードである。
【００５６】
また、「Ｓ０５」は、アドレス帳の画像設定アプリケーションであり、このアプリケーションプログラムが起動しているときには、記憶部１８のアドレス帳情報記憶部２１の氏名及び電話番号情報等を記憶する図示しない記憶領域に対応して設けられている画像記憶領域（図示せず）に顔画像などを設定記憶するモードである。
【００５７】
更に、「Ｓ０６」は、上述したアドレス帳情報記憶部２１、旅日記情報記憶部２２、食事情報記憶部２３等に、文字数値キーで入力した文字数値情報を入力する際の文字入力アプリケーションである。尚、この文字入力アプリケーションプログラムが起動している文字入力モードは上記アドレス帳情報記憶部２１、旅日記情報記憶部２２、食事情報記憶部２３等に文字数値情報を入力する際だけでなく、他のモード、例えば、通話時の電話番号入力等他の動作モードにおいても文字入力モードに設定が可能である。
【００５８】
然して、カメラ利用モード情報記憶部１４には、携帯電話装置１がとりうる各種動作モードのうち、撮像部３３の撮像装置を使用する可能性がある動作状態モード全ての状態ＩＤ情報がＲＯＭ１１から読み出されて記憶される。
【００５９】
図５は、ＲＡＭ１２の条件設定情報記憶部１５の記憶内容を示しており、後述する如くカメラキーの操作によって起動させる撮影機能をＲＡＭ１２の詳細を後述する選択条件情報記憶部１６の内容に従って行わせるか、記憶部１８の詳細を後述する起動履歴情報記憶部２６の内容に従って行わせるかを記憶するフラグ記憶領域１５Ａ１及び１５Ａ２が設けられている。
【００６０】
即ち、フラグ記憶領域１５Ａ１に「１」が記憶されていれば撮影機能を選択条件情報記憶部１６の内容に従って起動させ、フラグ記憶領域１５Ａ２に「１」が記憶されていれば撮影機能を起動履歴情報記憶部２６の内容に従って起動させるものである。
尚、この条件設定情報記憶部１５に記憶されている内容は、後述するように設定操作による設定（変更）が可能であり、その内容は図示していないが同様の構成で記憶部１８にも記憶され、電源投入時にこの条件設定情報記憶部１５に展開記憶されるものである。
【００６１】
図６は、ＲＡＭ１２の選択条件情報記憶部１６の詳細な記憶内容を示す図である。この選択条件情報記憶部１６は、条件ＩＤの連番情報である条件ＩＤ情報が記憶される条件ＩＤ情報記憶領域１６Ａと、図４で説明した各アプリケーション（動作モード）を示す状態ＩＤ情報を記憶する状態ＩＤ情報記憶領域１６Ｂと、図３で説明した撮影機能の種類を示す機能ＩＤ情報を記憶する機能ＩＤ情報記憶領域１６Ｃとから構成されている。
【００６２】
即ち、条件ＩＤ情報記憶領域１６Ａの各記憶領域１６Ａ１、１６Ａ２、・・・には、条件ＩＤの連番情報である条件ＩＤ情報「Ｃ０１」、「Ｃ０２」、・・・が夫々記憶されており、記憶領域１６Ａ１に対応する状態ＩＤ情報記憶領域１６Ｂの記憶領域１６Ｂ１には、例えばアドレス帳の画像設定モードを示す状態ＩＤ情報「Ｓ０５」が記憶されている。
【００６３】
また、記憶領域１６Ｂ１に対応する機能ＩＤ情報記憶領域１６Ｃの記憶領域１６Ｃ１には状態ＩＤ情報「Ｓ０５」のアドレス帳の画像設定モードにおいて使用される可能性の高い撮像機能である人物撮影機能を示す機能ＩＤ情報「Ｆ０７」が記憶されている。
【００６４】
即ち、選択条件情報記憶部１６は、動作モードと撮影機能との対応条件を記憶する記憶部であって、同様にして、記憶領域１６Ａ２に記憶されている条件ＩＤ情報「Ｃ０２」に対しては、記憶領域１６Ｂ２に文字入力モードであることを示す状態ＩＤ情報「Ｓ０６」が記憶され、記憶領域１６Ｃ２には文字入力モードで最も使用される可能性の高い撮影機能、即ち文字情報を撮像し撮像された文字情報を画像認識して文字情報を得る撮影機能である文字読取の機能ＩＤ情報「Ｆ０３」が記憶されている。
【００６５】
このように、選択条件情報記憶部１６には、撮影機能を使用する可能性がある全ての動作モードの状態ＩＤ情報が状態ＩＤ情報記憶領域１６Ｂに記憶され、この状態ＩＤ情報記憶領域１６Ｂに記憶された状態ＩＤ情報に対応してその動作モードで最も使用される可能性の高い撮影機能の機能ＩＤ情報が機能ＩＤ情報記憶領域１６Ｃに記憶されているものである。尚、この選択条件情報記憶部１６に記憶されている内容は、後述するように設定操作による設定（変更）が可能であり、その内容は図示していないが同様の構成で記憶部１８にも記憶され、電源投入時にこの選択条件情報記憶部１６に展開記憶されるものである。
【００６６】
ＲＡＭ１２の動作中モード情報記憶部１７については、その詳細な構成については図示していないが、モード選択キーなどによって選択された動作モード状態情報を記憶している。例えば、記憶部１８の画像情報記憶部１９、メール情報記憶部２０、アドレス帳情報記憶部２１、・・・電子マネー情報記憶部２５の各記憶内容を表示部３０に表示させるモードが夫々選択操作されたときには、夫々の表示モードを示す動作モード状態情報が記憶される。
【００６７】
また例えば、アドレス帳情報の表示モードにおいて、新規のアドレス帳情報（名前、住所、電話番号等の文字情報）を設定するモードが選択操作された場合には、文字入力アプリケーションプログラムを起動させると共に、文字入力モードであることを示す動作モード状態情報、例えば図４で示した状態ＩＤ情報「Ｓ０６」が記憶される。
【００６８】
更に、入力された文字の詳細な説明を電子辞書で調べるため辞書モードが選択操作されたときには電子辞書のアプリケーションプログラムが起動させると共に電子辞書モードであることを示す動作モード状態情報「Ｓ０１」が記憶される。
【００６９】
このように、動作中モード情報記憶部１７には、モード選択キーによって選択設定された動作モード（動作中のモード）を示す動作モード状態情報が記憶されるものである。
【００７０】
図７は、記憶部１８の起動履歴情報記憶部２６の詳細な構成を示している。この起動履歴情報記憶部２６は、撮像動作が行われた際の日時情報及びその時の動作モード及びその時の撮影機能を順次記憶する撮影履歴の記憶部である。
【００７１】
即ち、起動履歴情報記憶部２６には撮像された履歴の連番情報である履歴ＩＤ情報が記憶される履歴ＩＤ情報記憶領域２６Ａと、撮像が行われた時の日時情報を記憶する日時情報記憶領域２６Ｄと撮像が行われたときの動作モード状態を示す状態ＩＤ情報及びその時の撮影機能を示す機能ＩＤ情報を夫々記憶する状態ＩＤ情報記憶領域２６Ｂ及び機能ＩＤ情報記憶領域２６Ｃとから構成されている。
【００７２】
そして例えば、１０月１０日１０時１０分に撮像がなされた場合、記憶領域２６Ａ１の履歴ＩＤ情報「Ｈ０１」に対応させて、記憶領域２６Ｂ１には、その時に起動していた旅日記アプリケーションを示す「Ｓ０３」が記憶され、記憶領域２６Ｃ１には撮影機能として風景静止画撮影機能で撮像されたことを示す「Ｆ０８」が記憶され、記憶領域２６Ｄ１には、撮像を行ったときの日時情報「１０月１０日１０時１０分」がＲＴＣ３２から取得されて記憶されるものである。
【００７３】
次に、上記の如く構成された携帯電話装置１の動作につき、図８乃至図１１のフローチャートを参照して説明する。
【００７４】
図８において、ステップＡ１は、電源オフ状態において操作部３１の電源キーが操作されたか否かを判別する処理で、電源キーが操作されたことが判別されると各部に駆動電圧が供給されると共に、ステップＡ２に進んで携帯電話装置１を他の携帯電話からの着信が可能な状態に設定する待受処理を実行する。
【００７５】
この待受処理が実行されると、このフローチャートには記載されていないが、アンテナ２７Ａ及び無線通信部２７を介して着信があったときに、報知部３４のサウンドスピーカ３４Ａ、ＬＥＤ３４Ｂ或いは振動モータ３４Ｃを駆動してユーザに着信を報知する。また、着信が通話の着信であって、後述する如くそれに応答して操作部３１の電話キーが操作されると、音声信号処理部２８、送話マイク２８Ｂ及び受話スピーカ２８Ａを駆動して相手との通話が可能な状態に設定する。
【００７６】
然して、ステップＡ２の待受処理を実行した後はステップＡ３に進み、操作部３１によって設定操作されたか否かが判断され、設定操作があったことが判断されるとステップＡ４に進む。
【００７７】
このステップＡ３における設定操作は、ＲＡＭ１２の条件設定情報記憶部１５の設定フラグの内容を切り換えたり、ＲＡＭ１２の選択条件情報記憶部１６の内容を変更したりする操作であって、ステップＡ４では、ステップＡ３における設定操作に応じて、条件設定情報記憶部１５の設定フラグの内容や選択条件情報記憶部１６の内容を設定（変更）する。
【００７８】
ステップＡ３において設定操作がないことが判断された場合にはステップＡ５に進み操作部３１の各種キー（但し、後述する決定キー、カメラキー、電話キー、電源キー等は除く）の操作がなされたか否かが判断され、各種キー操作がなされたことが判断されるとステップＡ６の各種キー処理に進む。
【００７９】
図９は、上記ステップＡ６の各種キー処理の詳細なフローチャートを示したもので、先ずステップＢ１では、操作されたキーに応じた動作が実行される。例えば、操作されたキーがモード選択キーであれば、選択されたモードのアプリケーションプログラムを起動させると共に、ＲＡＭ１２の動作中モード情報記憶部１７に選択されたモードの動作モード状態情報を記憶させる。
【００８０】
また、例えば、文字入力モードにおいて数値文字キーが入力操作されると、入力された文字を記憶させるという動作、各種のカメラアプリケーションプログラムが起動している状態でシャッターキーが操作されると撮像を実行する動作等、キー操作に対応した動作処理がなされるものである。
【００８１】
ステップＢ１の処理が完了するとステップＢ２に進み、ＲＡＭ１２の動作中モード情報記憶部１７に記憶された動作モード状態情報が、カメラ利用モード情報記憶部１４の状態ＩＤ記憶領域１４Ａに記憶されている各状態ＩＤ情報と一致するか否かが判断される。即ち、この判断は、動作中モード情報記憶部１７に記憶された現在の動作モード状態が、カメラ（撮像部３３の撮像装置）を利用する可能性のあるモードであるか否かを判断しているものである。
【００８２】
状態ＩＤ記憶領域１４Ａに一致する状態ＩＤが存在する場合は、ステップＢ３に進み、一致した状態ＩＤに対応する記憶領域１４Ｂの現在フラグ情報を「１」に設定すると共に、他の現在フラグ情報を「０」に設定する。例えば、現在動作中のモード状態が電子辞書の場合、記憶領域１４Ａ１に記憶されている状態ＩＤ情報「Ｓ０１」に対応する記憶領域１４Ｂ１の現在フラグ情報を「１」に設定し、記憶領域１４Ｂ２以下の現在フラグ情報を全て「０」に設定する。
【００８３】
或いは、現在動作中のモード状態がＷｅｂサイトの閲覧モードであれば、「Ｓ０２」が記憶されている記憶領域１４Ａ２に対応する記憶領域１４Ｂ２の現在フラグ情報を「１」に設定し、他の現在フラグ情報を全て「０」に設定する。
【００８４】
尚、ステップＢ２において、ＲＡＭ１２の動作中モード情報記憶部１７に記憶された動作モード状態情報が、カメラ利用モード情報記憶部１４の状態ＩＤ記憶領域１４Ａに記憶されている各状態ＩＤ情報と一致するものがない場合はステップＢ４に進み、カメラ利用モード情報記憶部１４の記憶領域１４Ｂに記憶されている全ての現在フラグ情報が「０」に設定される。
【００８５】
図８に戻り、ステップＡ５で各種キーの操作でないときにはステップＡ７に進み、撮影機能を含む各種の機能の表示及び選択操作がなされたか否かが判断される。
【００８６】
図１２は上記ステップＡ７の機能表示及び選択操作を説明するもので、例えば、アドレス帳の表示モードで且つ新規のアドレス帳情報（名前、電話番号、ＦＡＸ番号等の文字情報）を設定する文字入力モードが設定されていた場合（文字入力アプリケーションプログラムが起動されている場合）、表示部３０には、図１２（ａ）に示す様に、最上段の表示領域３０Ａに、アドレス帳の表示モードであることを明示する「アドレス帳」の文字が表示されている。
【００８７】
また、表示領域３０Ｂには名前、電話番号、ＦＡＸ番号等の各項目の文字入力であることを明示する「項目」の文字が背景色を他と異ならせて表示されており、表示領域３０Ｃには「写真」の文字が表示されている。また、中央の情報表示領域３０Ｄには、名前、電話番号、ＦＡＸ番号等の各項目の文字と数値文字キーの操作によって入力された各文字情報が表示されている。また、次に文字入力する位置にはカーソルＫが点滅表示されている。
【００８８】
更に、表示領域３０Ｄ下方の表示領域３０Ｅには、アドレス帳情報の文字入力モードであって入力された文字情報が登録されることを明示する「登録」の文字が表示され、表示領域３０Ｆには「選択」の文字が表示されている。
【００８９】
このような表示状態において、上記ステップＡ７の機能表示操作は、カーソルＫをカーソル移動キーの操作によって「選択」の文字が表示されている表示領域３０Ｆに移動させ、その状態で決定キーが操作されたか否かを判別する処理、即ち「選択」を指定した選択ソフトキー入力がなされたか否かを判別する処理である。そして、ステップＡ７の機能表示操作がなされたことが判別されるとステップＡ７からステップＡ８の機能選択処理に進む。
【００９０】
図１０は、上記ステップＡ８の機能選択処理の詳細なフローチャートを示している。図において、ステップＣ１は、動作中のモード、例えば上述したアドレス帳の文字入力モードであれば、そのモードで利用可能な機能のメニュー情報を一覧表示するもので、図１２（ａ）の状態で選択ソフトキー入力がなされたことが判別されると、同図（ｂ）に示す様に、表示領域３０Ａに「選択メニュー」の文字が表示され、同図（ａ）で示した表示領域３０Ｂと３０Ｃは情報表示領域３０Ｄに含まれてメニュー情報が通し番号と共に一覧表示される。
【００９１】
上記情報表示領域３０Ｄに表示されたメニュー情報のうち、「文字読取」は、被写体の文字を撮像し、得られた文字画像を画像認識して認識した文字情報を得る撮影機能を示しており、また、「シンボル情報読取」は、撮像した被写体に含まれるシンボル情報（バーコード、２次元コード、QRコードなど）を画像認識して数字文字情報を抽出する撮影機能を示している。
【００９２】
即ち、アドレス帳の文字入力モードにおいては、上述した各項目に記憶させる文字数値情報などを数値文字キーから入力させるだけでなく、カメラで撮像して画像認識した文字数値情報をアドレス帳情報記憶部２１の図示しない文字数値情報記憶部（認識情報記憶部）記憶させることにより容易に文字数値情報の記憶が可能となるので、上記「文字読取」及び「シンボル情報読取」の撮影機能が選択できる様にメニュー表示がなされるものである。
【００９３】
尚、メニュー表示される撮影機能としては、「文字読取」及び「シンボル情報読取」以外に例えば電子ルーペ機能などの撮影機能をメニュー表示させてもよい。また、メニュー表示としては上記撮影機能以外にコピー、ペースト、定型文入力、絵文字入力などの機能が表示されるが、これらの機能は周知の機能であるのでここでは詳細な説明は省略する。また、情報表示領域３０Ｄに表示しきれないメニュー情報は情報表示領域３０Ｄの下方に表示されているスクロールアイコン３０Ｇ及び３０ＨにカーソルＫを合わせて決定キーを操作することにより上下スクロール表示をさせることが出来る。
【００９４】
図１０において、上記ステップＣ１によるメニュー表示がなされた後はステップＣ２に進み、利用する機能の選択操作がなされる。これは、上記メニュー表示においては、カーソルＫと異なった枠カーソルＬが図１２（ｂ）に示す様に通し番号の一つを囲む様に表示されるので、これを所望する機能の番号に移動させ、その後カーソルＫを表示領域３０Ｅに移動させて決定キーを操作することによって選択が実行される。
【００９５】
機能の選択後は、選択された機能の実行に移るが、上述したコピー、ペースト、定型文入力、絵文字入力などの機能は、その動作は周知であるのでここではその説明は省略し、撮影機能が選択操作された場合につき以下に述べる。
【００９６】
撮影機能の一つが選択された場合、次のステップＣ３では、選択された撮影機能のアプリケーションプログラムが起動し、選択された撮影機能での撮像が可能な状態に設定される。例えば、文字読み取りの撮影機能が選択された場合には、光学系が近距離撮像可能となるように設定されると共に撮像された画像情報のうち文字画像を画像認識して文字情報を得るアプリケーションプログラムが起動される。
【００９７】
次のステップＣ４では、ＲＡＭ１２のカメラ利用情報記憶部１４の現在フラグのうち記憶内容が「１」となっているものがあるか否かが判断される。即ち、動作中モード情報記憶部１７に記憶されている現在の動作モードは、ステップＡ５の各種キーの操作のうちモード選択キーの操作によって設定されたものであり、この設定されたモードがカメラ利用の可能性のあるモードの場合には、次のステップＡ６、即ち図９のステップＢ３で現在フラグが「１」に設定されているものである。
【００９８】
例えば、モード選択キーの選択操作で、動作モードが文字入力モードに設定された場合、上記ステップＢ３でカメラ利用情報記憶部１４の状態ＩＤ情報「Ｓ０６」に対応する現在フラグが既に「１」に設定されているものである。従って、この「１」が設定されているモード（文字入力モード）は、現在の（図１０ステップＣ１乃至Ｃ３が実行された際の）モードと等しいものとなっている。
【００９９】
即ち、図１０のステップＣ４の判断処理は、ステップＣ２で撮影機能が選択された時、その時に動作中のモードを検出するという判断処理を意味しており、カメラ利用情報記憶部１４の現在フラグのいずれも「１」で無い場合には、現在の動作モードがカメラを利用するモードではないとしてこのフローを終了するが、いずれかに「１」が記憶されている場合には、次のステップＣ５に進む。
【０１００】
ステップＣ５は、記憶部１８の起動履歴情報記憶部２６に、上記「１」が設定されている現在フラグに対応する状態ＩＤ情報と、選択された撮影機能の機能ＩＤ情報及びその時点での日時情報とが夫々対応状態で記憶させる処理である。
【０１０１】
例えば、上述した如く、ステップＣ２で文字読み取りの撮影機能が選択された場合、図７の履歴ＩＤ情報「Ｈ０４」に対応する記憶領域２６Ｂ、２６Ｃ及び２６Ｄに、夫々文字入力モードである状態ＩＤ情報「Ｓ０６」、文字読取の撮影機能の機能ＩＤ情報「Ｆ０３」及びその時の日時情報「１０月１０日８時５０分」が夫々記憶される。
【０１０２】
このように、起動履歴情報記憶部２６には、ステップＣ３で選択された撮影機能と、その時の動作モード情報と、その時の日時情報とからなる履歴情報が順次記憶されるものである。尚、上記の例では、ステップＣ３で撮影機能が選択されるとステップＣ５で撮影履歴が記憶される様にしたが、これは撮影機能が選択された以上、その撮影機能が必ず使用されるであろうと言うことを前提に記憶されている。
【０１０３】
然しながら、選択された状態で記憶させるのではなく、実際に選択された際に記憶させる様にしてもよい。この場合には、例えばステップＣ４の後に、シャッターキーが操作されたか否かを判別するステップを設け、次に、シャッターキーが操作されたことが判別された際に撮影動作を実行して行って文字認識を行い且つ認識された文字を記憶させるという撮像実行ステップを設け、その後ステップＣ５に進む様にすればよいものである。
【０１０４】
図８に戻り、ステップＡ７で機能表示操作が判別されなかった場合にはステップＡ９に進み、操作部３１のカメラキーが操作されたか否かが判別される。この操作部３１のカメラキーは撮像部３３による撮像装置の使用開始を指示する指示キーであり、カメラキーが操作されたことが判別されるとステップＡ１０の撮影機能起動処理に進む。
【０１０５】
図１１は、上記ステップＡ１０の撮影機能起動処理の詳細なフローチャートを示している。先ずステップＤ１は、ＲＡＭ１２のカメラ利用モード記憶部１４の現在フラグの中に「１」に設定されているものがあるか否かが判別される。上述したステップＣ４で説明した如く、現在フラグの中に「１」に設定されているものがある場合には、現在のモードがカメラを利用する可能性のあるモードなのでステップＤ２に進むが、いずれにも「１」が設定されていない場合にはステップＤ３に進む。
【０１０６】
即ち、ステップＤ３に進む場合は、カメラを利用する可能性がないとされている動作モードおいてカメラキーが操作された場合であり、例えば、着信の待受中、単にアドレス帳やメールの情報を表示させているだけのモード（文字入力や画像入力のモードではない）である。また、仮にこの携帯電話装置１がデジタル放送の受信機能やゲーム機能を備えていると仮定するとデジタル放送を視聴しているモード、ゲームをプレイしているモード等においてカメラキーが操作された場合である。
【０１０７】
この場合は、その時の動作モードに関係なく、単にカメラとしての撮像を行わせるためにカメラキーが操作された場合であり、ステップＤ３、Ｄ４、Ｄ５では、図１０のステップＣ１、Ｃ２、Ｃ３と同様に、撮影機能の選択メニュー表示を行わせ（ステップＤ３）、メニューの中から使用する撮影機能を選択させ（ステップＤ４）、そして選択された撮影機能に従って撮影機能を起動させるものである。
【０１０８】
このようにして、ユーザがメニューの中から選択した撮影機能が起動するとシャッターキーの操作で撮像が行われ、記憶部１８の画像情報記憶部１９に撮像した画像が記憶される。
【０１０９】
一方、ステップＤ１において現在フラグの中に「１」に設定されているものがあることが判別された場合にはステップＤ２に進み、ＲＡＭ１２の条件設定情報記憶部１５の指定機能側の設定フラグが「１」になっているか、或いは起動履歴機能側の設定フラグが「１」になっているかが判別される。上記設定フラグは図８のステップＡ３及びＡ４で説明した様に、ユーザの設定操作によっていずれか一方の設定フラグが「１」に設定されているものである。
【０１１０】
然して、指定機能の設定フラグが「１」に設定されていた場合にはステップＤ６に進む。このステップＤ６は、図６に示した選択条件情報記憶部１６の記憶内容に基づいて予め定められた撮影機能を選択しその選択された撮影機能での撮像が可能となる様に撮像部３３を起動させる処理である。
【０１１１】
例えば、図１２（ａ）の表示状態の動作モード、即ち、アドレス帳の文字入力モード（状態ＩＤ情報は「Ｓ０６」）でカメラキーが操作された場合、ステップＤ６では現在の文字入力モードの状態ＩＤ情報「Ｓ０６」が図６の状態ＩＤ記憶領域１６Ｂのいずれに記憶されているかを検出し、図６に示す様に記憶領域１６Ｂ２に「Ｓ０６」が記憶されていることが検出された際には、記憶領域１６Ｂ２に対応する機能ＩＤ記憶領域１６Ｃの記憶領域１６Ｃ２に記憶されている機能ＩＤ情報「Ｆ０３」を読み出す。
【０１１２】
次に、上記読み出された機能ＩＤ情報「Ｆ０３」は、被写体の文字を撮像し得られた文字画像を画像認識して認識した文字情報を得る文字読み取りの撮影機能であるので、撮像部３３を上記文字読み取りが可能である様に起動する。このステップＤ６の処理により、表示部３０は、図１２（ｃ）に示す様に、表示領域３０Ａに文字読み取りの撮影機能が既に起動されていて撮像が可能であることを示す「文字読取」の文字が表示され、その下方に被写体の文字が枠表示３０Ｊの中に収まる様にして撮像する様にガイドするガイド文字が表示されるものである。
【０１１３】
このように、カメラキーを操作するだけで「文字読取」の撮影機能が起動するので、ユーザは読み取りたい被写体の文字を枠表示３１Ｊに合わせてシャッターキーを押すだけでその文字が撮像されて文字認識され、カーソルＫで指定されている位置に設定記憶されるものである。
【０１１４】
尚、上記の例では動作モード状態が文字入力モードに設定されている場合について説明したが、他の例として、例えば、文字入力が完了し相手の顔画像を記憶させたい場合について説明する。
【０１１５】
図１２（ａ）において文字入力が完了すると、モード選択キーの操作によって動作モードをアドレス帳画像設定モードに切り換える。アドレス帳画像設定モードに切り換えられるとアドレス帳画像設定アプリケーションプログラムが起動し、図４の「Ｓ０５」の状態ＩＤに対応する現在フラグ情報が「１」となり、他の現在フラグ情報は「０」となる。
【０１１６】
図１３（ａ）はこの時の表示部３０の表示状態を示したもので、表示領域３０Ｃの背景色が他と異なった色となって「写真」（画像）の設定モードであることが明示される。顔画像を設定記憶する場合には、例えば、他の記憶部に記憶されている顔画像をコピーしたり、通信手段などによって外部から入力された顔画像を記憶させたりすることも出来るが、撮像部３３によって相手の顔画像を撮像して記憶させたい場合には、カメラキーを操作する。
【０１１７】
カメラキーが操作されると、ステップＤ１ではカメラ利用情報記憶部１４の状態ＩＤ「Ｓ０５」に対応する現在フラグ情報が「１」に設定されていることを判別しステップＤ２に進む。ステップＤ２では、条件設定情報記憶部１５の指定機能側の設定フラグが「１」になっていることを判別してステップＤ６に進む。ステップＤ６では、現在の画像設定モードの状態ＩＤ情報「Ｓ０５」が図６の状態ＩＤ記憶領域１６Ｂのいずれに記憶されているかを検出し、記憶領域１６Ｂ１に「Ｓ０５」が記憶されていることを検出して対応する機能ＩＤ記憶領域１６Ｃの記憶領域１６Ｃ１に記憶されている機能ＩＤ情報「Ｆ０７」を読み出す。
【０１１８】
機能ＩＤ情報「Ｆ０７」は、人物の顔画像の静止画を予め定められた、顔画像撮像に最も適したパラメータで撮像する人物撮影機能であり、それ故、撮像部３３を顔画像撮像に最も適した撮像パラメータとなる様に起動及び撮像パラメータ設定を行う。
【０１１９】
図１３（ｃ）は、このような設定が行われた際の表示状態を示しており、表示領域３０Ａに人物撮影機能が既に起動されていて人物撮像が可能であることを示す「人物撮影」の文字が表示され、その下方に被写体の写し込み領域を示す枠表示３０Ｊ及びフォーカスポイントマーク３０Ｋが表示されるものである。
【０１２０】
このように、アドレス帳の画像設定モードにおいては、カメラキーを操作するだけで人物撮像のための撮影機能が起動するので、ユーザは相手の顔画像を枠表示３１Ｊに合わせてシャッターキーを押すだけで顔画像がアドレス帳情報記憶部２１に記憶されるものである。
【０１２１】
図１１のステップＤ２において、指定機能の設定フラグが「１」でなく、起動履歴機能の設定フラグが「１」に設定されている場合にはステップＤ７に進む。ステップＤ７では、その時の動作モードの状態ＩＤ情報が図７の起動履歴情報記憶部２６の状態ＩＤの記憶領域２６Ｂに記憶されているか否かが判断される。記憶領域２６Ｂにその時の動作モードの状態ＩＤ情報が記憶されている場合、例えば、その時の動作モードが図１２（ａ）に示した文字入力モード（状態ＩＤ「Ｓ０６」）であった場合には、状態ＩＤ「Ｓ０６」は起動履歴情報記憶部２６の履歴ＩＤの「Ｈ０４」に対応する記憶領域２６Ｂに記憶されているので、そのような場合にはステップＤ８に進む。
【０１２２】
ステップＤ８では、記憶されていた状態ＩＤ情報に対応して記憶されている機能ＩＤ情報記憶領域２６Ｃの機能ＩＤ情報（図７では「Ｆ０３」）を読み出し、撮像部３３を読み出された機能ＩＤの撮影機能に設定する。
【０１２３】
このように、条件設定情報記憶部１５の起動履歴機能の設定フラグが「１」に設定されている場合には、カメラキーの操作で、起動履歴記憶部２６に記憶されている過去に使用した撮影機能とその時の動作モードとに基づいて撮影機能を設定できるものである。
【０１２４】
尚、ステップＤ７において、その時の動作モードの状態ＩＤ情報が図７の起動履歴情報記憶部２６の状態ＩＤの記憶領域２６Ｂに記憶されていなかった場合、例えば、本携帯電話装置１の使用を開始したばかりの時や、それまでそのモードでの撮像が行われておらず起動履歴情報記憶部２６に各情報の記憶がされていなかった場合はステップＤ９に進む。
【０１２５】
ステップＤ９及びこれに続くステップＤ１０、Ｄ１１、Ｄ１２の処理は、図１０のステップＣ１及びステップＣ２、Ｃ３、Ｃ５の処理と同じで、選択されたカメラの撮影機能とその時の動作モードと起動履歴情報記憶部２６に設定記憶させるものであり、これについては詳細な説明は省略する。
【０１２６】
尚、上記ステップＤ６において、カメラキーの操作によって起動された撮影機能が所望する撮影機能でなかった場合、例えば、上述した如くアドレス帳の画像設定モードにおいては相手の顔画像撮像に適した撮影機能が起動されるが、顔画像を撮像するのではなく、例えば相手の家を撮影して家を含む風景の画像を記憶させておきたいとか、相手の住所の地図を撮像して地図画像を記憶させておきたいといった場合には、図１１のフローチャートには記載されていないが、以下の如く選択ソフトキーを操作してステップＤ９に進む様にすればよい。
【０１２７】
即ち、図１３（ａ）において、図示しないカーソルを表示領域３０Ｆの「選択」の文字に合わせ決定キーを操作するという選択ソフトキーの操作を行う。この操作によって、図１１のフローチャートには図示していないが、ステップＤ６からステップＤ９に進むようにすれば、図１３（ｂ）に示す様に各種の撮影機能のメニュー表示がなされ、所望の撮影機能を選択して撮影できるものである。
【０１２８】
上記の如く、撮像装置を利用した複数の撮影機能を備えた場合であっても、撮像装置の使用開始の指示がカメラキーの単独操作によって行われるだけ、その時の動作モード状態によって使用すべき可能性が最も高い撮影機能が選択されるので、直ちに所望する撮影機能での撮像が可能となり、複数の撮影機能の中から所望する撮影機能を選択するといった面倒な機能選択操作をする必要がないものである。
【０１２９】
例えば、図６の選択条件情報記憶部１６或いは図７の起動履歴情報記憶部２６に示されている様に、例えば、動作モードがＷｅｂサイトの閲覧モードである「Ｓ０２」の場合、対応する撮影機能としてはＱＲコードなどを撮像して認識するシンボル情報の読み取り機能を示す機能ＩＤ「Ｆ０４」が設定されているので、ＵＲＬ等がＱＲコードで印刷されている画像を撮像して記憶部に記憶させたり或いは直ちにそのＵＲＬのＷｅｂサイトの閲覧が可能である。
【０１３０】
また、記憶部１８の旅日記情報記憶部２２に撮像部３３で撮像した旅行時の画像情報等を記憶する動作モードの状態ＩＤ「Ｓ０３」に対しては、風景を撮像するに適した撮像パラメータで撮像を行う風景静止画の撮影機能である「Ｆ０８」が対応機能ＩＤとして記憶されているので、旅行時に風景を直ちに撮像及び記憶させることが出来る。
【０１３１】
図８に戻り、ステップＡ９においてカメラ起動指示操作でないことが判別されるとステップＡ１１に進み、着信があるか否かが判別され、着信があった場合には電話キーの操作によってステップＡ１２に進み、相手との通話が可能となるものである。
【０１３２】
また、ステップＡ１１において着信がなかった場合には、ステップＡ１３で電源キーの操作がなされたか否かが判別され、電源キーの操作がなされていない場合にはステップＡ３に戻るが、操作がなされた場合にはステップＡ１４に進み電源オフ処理がなされる。
【０１３３】
このように、上記の実施例によれば、複数の撮影機能を備えた場合であっても、撮像手段の使用開始の指示がなされると、その時の動作モード状態によって使用すべき可能性が最も高い撮影機能が選択されるので、直ちに所望する撮影機能での撮像が可能となり、複数の撮影機能の中から所望する撮影機能を選択するといった面倒な機能選択操作をする必要がないものである。
【０１３４】
また、その時の動作モード状態の検出は複数のアプリケーションプログラムのうちいずれのアプリケーションプログラムが動作中かを検出しているので、極めて容易に且つ正確に検出が可能である。
【０１３５】
更に、上記実施例では、撮影機能として被写体毎にそれぞれ異なった撮影パラメータで撮像する被写体別撮影機能を備えているので、例えば人物撮像、風景撮像、夜景撮像など被写体にあった撮像条件で直ちに撮像が可能である。
【０１３６】
また、上記実施例では、画像記憶アプリケーションプログラムが動作中であることが検出された際には複数の撮影機能の中から画像を撮像して画像記憶手段に記憶させる撮影機能が選択されるので面倒な撮影機能の選択や記憶設定処理が不要となる。
【０１３７】
例えば、アドレス帳の各種データを記憶させるモードにおいて、氏名などの文字情報を記憶設定した後に顔画像の記憶モードに移行すると、撮像開始の指示を行うだけで直ちに撮像手段が顔画像の撮像に適した撮像条件で起動し且つ撮像によって撮像された顔画像情報がアドレス帳に記憶されるので極めて便利である。
【０１３８】
また、上記実施例では、画像認識アプリケーションプログラムが動作中であることが検出された際に複数の撮影機能の中から画像を撮像して認識情報を画像記憶手段に記憶させる撮影機能を選択する様にしたので、面倒な撮影機能の選択や記憶設定処理が不要となる。
【０１３９】
例えば、アドレス帳の各種データを記憶させるモードにおいて、氏名、電話番号、住所などの文字情報の入力モードになっている際には、撮像開始の指示を行うだけで直ちに撮像手段が文字画像の画像認識を行う撮影機能に設定されて起動するので、例えば名刺の文字画像を撮像すれば画像認識された文字情報がアドレス帳に記憶できるものである。
【０１４０】
また、例えば、雑誌や新聞などを読んでいて漢字の読みや意味などを調べるに為に電子辞書モードのアプリケーションを起動していた場合、撮像開始の指示を行うだけで直ちに撮像手段が文字画像をマクロ撮像して且つ画像認識を行う撮影機能に設定されて起動するので、例えば雑誌や新聞等のや新聞や名刺の小さな文字画像を撮像出来且つ画像認識されて文字情報が得られる。そして、この文字情報を自動的に辞書機能で検索させて読みや意味を表示させることも出来る。
【０１４１】
また、上記実施例では、例えば、ネットワーク上のＷｅｂサイトを閲覧するブラウザ閲覧アプリケーションを起動している際、撮像開始の指示を行うだけで印刷物に印刷されたＵＲＬのＱＲコードなどが撮像可能となり撮像によって画像認識してそのＵＲＬのサイトを閲覧できる。
【０１４２】
また、例えば、端末装置に電子マネー機能が備えられていて、電子マネーモードのアプリケーションが起動中においては、同様にして商品などに添付してある価格表のバーコードなどを撮像して価格などを表示できる。
【０１４３】
また、上記実施例では、動作モード状態と撮影機能との対応関係を示す対応条件情報を記憶するようにしたので、各動作モード状態においてどの撮影条件で撮像手段を起動させればよいかが直ちに判断可能である。また、ユーザがその対応関係を変更させることも可能である。
【０１４４】
また、上記実施例では、複数の撮影機能のうち所望の撮影機能を選択できるようにしたので、予め定められた撮影機能以外の撮影機能を選択することも出来る。
【０１４５】
また、上記実施例では、撮像がなされた際の前記動作モード状態と撮像された撮影機能とを対応付けて撮像履歴として順次記憶するようにしたので、過去の撮像履歴を参照にして動作モード状態に対応する撮影機能を選択させることが出来る。
【０１４６】
また、上記実施例では、基地局を介して他の電話装置と通話する携帯電話に備える様にしたので、携帯電話に備えられた各種機能、例えば、アドレス帳機能やＷｅｂ閲覧機能などに実施例の特長を活用できる。
【０１４７】
尚、撮影機能は、撮影機能情報記憶部１３に示した撮像機能に限定されず、任意の撮像機能を記憶させることが出来、また、選択条件情報記憶部１６に記憶されるモード情報（状態ＩＤ）と撮影機能（機能ＩＤ）との対応関係も、上記実施例に限定されるものでなく任意の対応関係に設定可能である。更に、上記対応関係はユーザがキー操作などで予め設定させておいたり変更させたりすることも可能である。
【０１４８】
また、上記実施例では撮影機能の起動の指示はカメラキーの操作で行う様にしたが、他の機能キーと兼用させることや、複数のキーの同時押しなどで実行させる様にするなど任意のキー操作で実行させることが出来、また、例えば、表示部と操作部とが異なったケースに備えられており撮像部がいずれかのケースに設けられていて、両ケースがヒンジ部で折り畳み可能に構成されている携帯電話にあっては、両ケースの開閉あるいは回転等を検知して起動の指示を行う様にしてもよい。
【０１４９】
更に、上記実施例では、本発明を携帯電話装置１に適用した例について述べたが、本発明はデジタルカメラ、パーソナルコンピュータ、音楽プレーヤ、ＰＤＡなど、撮像手段を備えた端末装置であれば、どのような機器であっても適用可能である。
【図面の簡単な説明】
【０１５０】
【図１】本発明の携帯電話装置１を用いた通信ネットワークシステムを示した図。
【図２】携帯電話装置１の基本的な構成を示したブロック図。
【図３】図２の撮影機能情報記憶部１３の詳細な構成図。
【図４】図２のカメラ利用モード情報記憶部１４の詳細な構成図。
【図５】図２の条件設定情報記憶部１５の詳細な構成図。
【図６】図２の選択条件情報記憶部１６の詳細な構成図。
【図７】図２の起動履歴情報記憶部２６の詳細な構成図。
【図８】携帯電話装置１の全体動作を示すフローチャート図。
【図９】図８のステップＡ６の各種キー処理の詳細なフローチャート図。
【図１０】図８のステップＡ８の機能選択処理の詳細なフローチャート図。
【図１１】図８のステップＡ１０の撮影機能起動処理の詳細なフローチャート図。
【図１２】図２の表示部３０の表示状態図。
【図１３】同じく図２の表示部３０の表示状態図。
【符号の説明】
【０１５１】
１  携帯電話装置
５  携帯無線通信網
６  インターネット
１０  中央制御部
１１  ＲＯＭ
１２  ＲＡＭ
１３  撮影機能情報記憶部
１４  カメラ利用情報記憶部
１５  条件設定情報記憶部
１６  選択条件情報記憶部
１９  画像情報記憶部
２０  メール情報記憶部
２１  アドレス帳情報記憶部
２７  無線通信部
２８  音声信号処理部
３０  表示部
３１  操作部
３３  撮像部
３４  報知部
【図１】
0005115725.tif 000002
【図２】
0005115725.tif 000003
【図３】
0005115725.tif 000004
【図４】
0005115725.tif 000005
【図５】
0005115725.tif 000006
【図６】
0005115725.tif 000007
【図７】
0005115725.tif 000008
【図８】
0005115725.tif 000009
【図９】
0005115725.tif 000010
【図１０】
0005115725.tif 000011
【図１１】
0005115725.tif 000012
【図１２】
0005115725.tif 000013
【図１３】
0005115725.tif 000014